(57)【要約】テントの浮き上がりや転倒を防ぐウエイトを軽量に形成し、かつ減容できるようにする。テント用ウエイトと横幕との併用を可能とする。【課題】【解決手段】シート１１ａ，１１ｂの周囲を熱融着部１２ａ，１２ｂで接合して内部を密閉した袋体１３を形成する。袋体１３に注液口１４を設け、内部に複数の貯液室１５ａ，１５ｂを画成する。袋体１３の両側縁に面ファスナー１６ａ，１６ｂを設ける。袋体１３の一端に吊り下げ用フック１２ａ，１２ｂを設け、他端に振れ止め用フック１３ｂ，１３ｂを設ける。【選択図】　図１
2004027772.tif 000002
【特許請求の範囲】
【請求項１】
表裏２枚のシートの周囲を接合して内部を密閉した袋体を形成し、該袋体に注液口を設け、該注液口から注入された液体を分散して収容する複数の貯液室を前記袋体の内部に画成し、該袋体の両側縁に、この袋体を筒形状に保持する貼り合わせ手段を設け、該袋体の一端にテントの骨組み上部に吊持される吊り下げ用フックを設けるとともに、該袋体の他端に前記骨組みの支柱に係止される振れ止め用フックを設けたことを特徴とするテント用ウエイト。
【請求項２】
前記請求項１に記載のテント用ウエイトを使用する方法において、前記貯液室のそれぞれに液体を充填し、前記吊り下げ用フックを、前記骨組みの複数本が交差する部分に係止して、前記ウエイトを前記支柱に沿って吊持し、該ウエイトを前記貼り合わせ手段にて筒形状に形成して、前記支柱を包持もしくは該支柱のテント内側位置に選択的に配設することを特徴とするテント用ウエイトの使用方法。
【請求項３】
前記筒形状のウエイトを前記支柱のテント内側に配設した際に、前記振れ止め用フックを前記支柱に係止することを特徴とする請求項２に記載のテント用ウエイトの使用方法。
【発明の詳細な説明】
【０００１】
【発明の属する技術分野】
本発明は、グラウンド等の屋外や、体育館，大規模施設等の屋内に用いられるテントが、横風で浮き上がったり転倒するのを防止するために用いられるテント用ウエイトとその使用方法に関する。
【０００２】
【従来の技術】
屋内外で用いられるテントにあっては、側部から吹き込んだ横風が屋根幕内を上昇してテントに揚力を与え、テントを浮き上がらせたり転倒させる虞があるため、従来は鉄製の円板にスリットを切り込んだウエイトを支柱の本数分用意し、各支柱にスリットを差し入れて、支柱下端のベース部をウエイトで押さえることによって、テントの浮き上がりや転倒を防止するようにしていた。
【０００３】
しかしながら、このような鉄製のウエイトは重量が相当に嵩むことから、使用場所と保管場所との間を専用の手押し運搬車で運搬しなければならないという煩わしいものであった。
【０００４】
このため、例えば図７及び図８に示すテント用ウエイトが提案されている。この先行技術は、硬質の合成樹脂で形成された一対の半円筒体容器２ａ，２ａをテント用ウエイト１とし、各半円筒体容器２ａの接合面に複数のオスジョイント２ｂとメスジョイント２ｃと通孔用の半円形凹部とを形成し、半円筒体容器２ａ，２ａの接合面を向き合わせて、双方の半円形凹部のいずれか１組にテントの支柱３を収容しながらジョイント２ｂ，２ｃを結合することにより、半円筒体容器２ａ，２ａを前記ウエイト１として一体に連結するとともに、突き合わせ面に双方の半円形凹部による３つの通孔４を画成し、該通孔４のいずれか１つに前記支柱３を保持し、支柱３下端のベース部３ａ上にウエイト１を配設する。
【０００５】
そして、各半円筒体２ａのそれぞれに注水して、前記ベース部３ａをウエイト１の水圧で押さえるようにしており、またウエイト１を運搬する際には、半円筒体容器２ａから水を排出することによって、半円筒体容器２ａの重量のみで簡便に運搬できるようにしている。
【０００６】
【発明が解決しようとする課題】
このような先行技術にあっては、搬送時の軽量化は可能となるが、ウエイトの体積は変わらないため、搬送時や保管時の減容は図れない。
【０００７】
この対策として、ウエイトの材料を防水性のシート材に代えて折り畳めるようにする方法が考えられるが、ウエイトの底面が軟質なシートではウエイトを地面や床面に置くことによって水圧が分散し、型くずれして支柱の下端に大きく拡がり、利用者の障害となるばかりか、ウエイトとしての重量が支柱のベース部に充分に作用しない。
【０００８】
さらに、これらいずれの場合も、ウエイトが支柱の最下部を包むことから、ウエイトの一部がテントの外側へはみ出してしまい、テントの支柱間に横幕を張ることができなくなるという欠点がある。
【０００９】
そこで本発明は、軽量かつ減容が可能で、しかも横幕との併用が可能なテント用ウエイトとその使用方法を提供することを目的としている。
【００１０】
【課題を解決するための手段】
上述の目的を達成するため、本発明のテント用ウエイトは、表裏２枚のシートの周囲を接合して内部を密閉した袋体を形成し、該袋体に注液口を設け、該注液口から注入された液体を分散して収容する複数の貯液室を前記袋体の内部に画成し、該袋体の両側縁に、この袋体を筒形状に保持する貼り合わせ手段を設け、該袋体の一端にテントの骨組み上部に吊持される吊り下げ用フックを設けるとともに、該袋体の他端に前記骨組みの支柱に係止される振れ止め用フックを設けたことを特徴としている。
【００１１】
また、本発明のテント用ウエイトの使用方法は、前記テント用ウエイトの貯液室のそれぞれに液体を充填し、前記吊り下げ用フックを、前記骨組みの複数本が交差する部分に係止して、前記ウエイトを前記支柱に沿って吊持し、該ウエイトを前記貼り合わせ手段にて筒形状に形成して、前記支柱を包持もしくは該支柱のテント内側位置に選択的に配設することを特徴としている。
【００１２】
さらに、本発明のテント用ウエイトの使用方法は、前記筒形状のウエイトを前記支柱のテント内側に配設した際に、前記振れ止め用フックを前記支柱に係止することもできる。
【００１３】
【発明の実施の形態】
以下、本発明の一形態例を図１〜図６に基づいて説明する。
図中、図１はテント用ウエイトを支柱に包持して吊り下げた状態の斜視図、図２は図１の断面平面図、図３はテント用ウエイトを支柱内側のテント内に吊り下げた状態の斜視図、図４は図３の断面平面図、図５はテント用ウエイトの展開状態を示す平面図、図６はテント用ウエイト内に注水した状態を示す斜視図である。
【００１４】
テント用ウエイト１０は、表裏の長方形のシート１１ａ，１１ｂと、吊り下げ用フック１３ａ，１３ａ及び振れ止め用フック１３ｂ，１３ｂとの全体が、防水性のある軟質な合成樹脂シートやテント生地で形成されている。
【００１５】
シート１１ａ，１１ｂは、周囲を帯状の熱融着部１２ａで接合することによって内部を密閉した袋体１３を構成しており、該袋体１３の上下に吊り下げ用フック１３ａ，１３ａと振れ止め用フック１３ｂ，１３ｂとを付設し、一方のシート１１ａの一端部寄りにキャップ付きの注液口１４を設け、両シート１１ａ，１１ｂの他端部から３本の帯状の熱融着部１２ｂを袋体１３の中央付近まで設けて、袋体１３の内部を大小４つの貯液室１５ａ，１５ａ，１５ｂ，１５ｂに画成している。
【００１６】
袋体１３の両側縁には、本発明の貼り合わせ手段となる雌雄の面ファスナー１６ａ，１６ｂが表裏逆位置に貼着されており、両面ファスナー１６ａ，１６ｂを接合することによって袋体１３を円筒状に保持し、また面ファスナー１６ａ，１６ｂの接合を内外に変えることによって、シート１１ａ，１１ｂの内外関係を変更できるいわゆるリバーシブルとなっている。
【００１７】
吊り下げ用フック１３ａ，１３ａは、袋体１３の一端に連続する三角形の中央に丸孔１７を穿設し、該丸孔１７と三角形の頂部との間にスリット１８を切り込むことによって二片に分割形成されたもので、各吊り下げ用フック１３ａの先端となる丸孔１７の外側には、雌雄の面ファスナー１９ａ，１９ｂが表裏逆関係に貼着されている。
【００１８】
振れ止め用フック１３ｂ，１３ｂは、袋体１３の他端中央に付設された一対の短冊片で、雌雄の面ファスナー２０ａ，２０ｂが表裏逆関係に貼着されており、フック１３ａ，１３ａ，１３ｂ，１３ｂの面ファスナー１９ａ，１９ｂ，２０ａ，２０ｂをこのような関係に設定することによって、袋体１３のシート１１ａ，１１ｂのいずれを外側にして筒状にした場合にも、フック１３ａ，１３ａとフック１３ｂ，１３ｂ同士を接合できるようにしている。
【００１９】
このように構成される本形態例のテント用ウエイト１０は、注液口１４より注水して、貯液室１５ａ，１５ａ，１５ｂ，１５ｂのそれぞれを必要量の水で満たしたのち、注液口１４にキャップを被着し、本発明の貼り合わせ手段である面ファスナー１６ａ，１６ｂを接合して袋体１３を筒状とし、テントＴの骨組みである支柱Ｐ１や筋交いＰ２，桁Ｐ３，合掌Ｐ４等の複数本が交差する部分を利用して吊り下げ用フック１３ａ，１３ａを係止し、骨組みの中のいずれか一本の支柱Ｐ１に沿って縦長に吊持される。
【００２０】
図１〜図４は、テント用ウエイト１０を、テントＴの骨組みのコーナに位置する支柱Ｐ１の近傍に実施した２つの取り付け例を示している。
【００２１】
図１及び図２に示す一方の取り付け例では、上部の吊り下げ用フック１３ａ，１３ａを、テントＴの内側から筋交いＰ２，Ｐ２の間へ差し込んで支柱Ｐ１の両側へ回し、先端の面ファスナ１９ａ，１９ｂを、支柱Ｐ１のテント外側で貼着することにより、吊り下げ用フック１３ａ，１３ａを支柱Ｐ１に係止し、テント用ウエイト１０を支柱Ｐ１のテント内側に吊持する。なお、貯液室１５ａ，１５ａ，１５ｂ，１５ｂへの注水は、この吊り下げ前と吊り下げ後のいずれに行ってもよい。
【００２２】
次に、一方のシート１１ａを外側にして、袋体１３をテント外方向へ向けて支柱Ｐ１を内側に包むように丸め、テントＴの外側に位置した袋体両側縁の面ファスナー１６ａ，１６ｂを貼着して、袋体１３を円筒状に保持することにより、袋体１３が支柱Ｐ１を包持した状態で取り付けされる。
【００２３】
本取り付けでは、袋体１３の一部がテントＴの外側へはみ出すため、テントＴの支柱間に横幕を用いない。なお、下端の振れ止め用フック１３ｂ，１３ｂは支柱Ｐ１に係止してもよいが、袋体１３が支柱Ｐ１を直接包持するため、必ずしも使用する必要はない。
【００２４】
また、図３及び図４に示す他方の取り付け例では、吊り下げ用フック１３ａ，１３ａを、上記図１，図２の場合と同様に、筋交いＰ４，Ｐ５を利用して支柱Ｐ１に係止し、テント用ウエイト１０を支柱Ｐ１のテント内側に吊持する。
【００２５】
そして、他方のシート１１ｂを外側にして、袋体１３をテント内方向へ向けて丸め、袋体両側縁の面ファスナー１６ａ，１６ｂを貼着して、袋体１３を円筒状に保持することにより、袋体１３を支柱Ｐ１に沿ってテント内側に吊持する。しかるのち、下端の振れ止め用フック１３ｂ，１３ｂを支柱Ｐ１の両側へ回して、先端の面ファスナ１９ａ，１９ｂを支柱Ｐ１のテント外側で貼着することにより、振れ止め用フック１３ｂ，１３ｂを支柱Ｐ１に係止する。
【００２６】
本取り付けでは、テント用ウエイト１０の全てがテントＴの内側に位置するため、テント用ウエイト１０でテントＴの浮き上がりや転倒を防止しながら、テントＴの支柱間に横幕Ｓ１を張ることができる。
【００２７】
このように、本形態例のテント用ウエイト１０は、テントＴの骨組みの各支柱Ｐ１に吊り下げられるため、貯液室１５ａ，１５ａ，１５ｂ，１５ｂ内の水の重量が全て支柱Ｐ１に作用し、横風によるテントＴの浮き上がりや転倒が有効に防止される。また、貯液室１５ａ，１５ａ，１５ｂ，１５ｂ内の水を排出することによってテント用ウエイト１０を折り畳むことが可能となり、運搬時や保管時の軽量化と減容が図れる。さらに、テント用ウエイト１０の全部を、図３，図４ののようにテントＴの内側に吊り下げることより、テント用ウエイト１０と横幕Ｓ１との併用が可能となる。また、袋体１３の内部を複数の貯液室１５ａ，１５ａ，１５ｂ，１５ｂに画成して、筒状に丸めた袋体１３の周方向に水を分散して収容するので、袋体１３の筒形状を維持しつつ、径方向の大きさを極力小さく押さえることができる。
【００２８】
なお、上述の形態例では、テント用ウエイトを、テントの骨組みの筋交いを利用して吊り下げたが、本発明は、支柱や筋交い，桁，合掌等の骨組みの複数本が交差する部分を用いて吊り下げることが可能である。また、貯液室に充填する液体は、水以外のものであっても差し支えない。袋体を構成する表裏２枚のシートは、１枚のシートを折り畳んだり、３枚以上のシートをつなぎ合わせて形成することができる。さらに、貼り合わせ手段やフックをつなぐ手段には、形態例に示した面ファスナー以外に、ファスナやマグネットを用いることもできる。
【００２９】
【発明の効果】
以上説明したように、本発明によれば、ウエイトがテントの骨組みに吊り下げられ、貯液室内の水の重量が全て骨組みに作用するので、横風によるテントの浮き上がりや転倒を有効に防止することができる。また、貯液室内の水を排出することによってウエイトを小さく折り畳むことが可能となり、運搬時や保管時の軽量化と減容が図れる。
【００３０】
また、ウエイトの袋体を骨組みの支柱に包持したり、袋体下部の振れ止め用フックを支柱に係止することによって、強風時にもウエイトを安定して吊り下げておくことができる。さらに、ウエイトを支柱に沿ってテントの内部に吊り下げることにより、テントの浮き上がりや転倒を防止しながら、テントの支柱間に横幕を用いることができる。
【図面の簡単な説明】
【図１】本発明の一形態例を示すテント用ウエイトを支柱に包持させて吊り下げた状態の斜視図
【図２】図１の断面平面図
【図３】テント用ウエイトをテント内に吊り下げた状態の斜視図
【図４】図３の断面平面図
【図５】テント用ウエイトの展開状態を示す平面図
【図６】テント用ウエイト内に注水した状態を示す斜視図
【図７】従来のテント用ウエイトの分解斜視図
【図８】図７のテント用ウエイトを組み立てた状態の平面図
【符号の説明】
１０…テント用ウエイト、１１ａ，１１ｂ…シート、１２ａ，１２ｂ…熱融着部、１３…袋体、１３ａ…吊り下げ用フック、１３ｂ…振れ止め用フック、１４…注液口、１５ａ，１５ｂ…貯液室、１６ａ，１６ｂ…本発明の貼り合わせ手段となる面ファスナー、１７…丸孔、１８…スリット、１９ａ，１９ｂ，２０ａ，２０ｂ…面ファスナー、Ｐ１…支柱、Ｐ２…筋交い、Ｔ…テント、Ｓ１…横幕
【図１】
2004027772.tif 000003
【図２】
2004027772.tif 000004
【図３】
2004027772.tif 000005
【図４】
2004027772.tif 000006
【図５】
2004027772.tif 000007
【図６】
2004027772.tif 000008
【図７】
2004027772.tif 000009
【図８】
2004027772.tif 000010